(57)【特許請求の範囲】
【請求項１】
鍵盤シャーシに回動自在に設けられた鍵と、
前記鍵から下方に突出する突起部と、
前記鍵盤シャーシに回動自在に設けられ、前記突起部が当接することによって前記鍵の押鍵・離鍵に伴い連動するハンマーと
を有する鍵盤楽器の鍵機構において、
前記ハンマーにおける前記突起部が当接する部位に壁部により全周を囲まれた凹部を形成し、前記凹部内に潤滑剤を充填した
ことを特徴とする鍵盤装置の鍵機構。
【請求項２】
請求項１に記載の鍵盤装置の鍵機構において、
前記凹部内に溝部を形成した
ことを特徴とする鍵盤装置の鍵機構。
【発明の詳細な説明】
【０００１】
【発明の属する技術分野】
本発明は、鍵盤装置の鍵機構に関し、さらに詳細には、電子ピアノなどの電子楽器の鍵盤装置において、当該鍵盤装置の鍵の一部がハンマーと当接することにより当該ハンマーを回動させる鍵盤装置の鍵機構に関する。
【０００２】
【従来の技術】
従来より、電子ピアノなどの電子楽器に用いられる鍵盤装置においては、当該鍵盤装置の鍵の押鍵・離鍵の際にアコースティック・ピアノに近似したタッチ感を得るために、ハンマーと称される質量体が配設されている。
【０００３】
図１には、鍵を離鍵した状態における従来の鍵盤装置の鍵機構の一部を破断して示した側面図が示されており、図１において、符号１０は電子ピアノなどの電子楽器に用いられる鍵盤装置における白鍵および黒鍵を含む鍵であり、符号１２は鍵盤装置本体の底板（図示せず）の取付面上にネジ止めなどにより締結された鋼板製の鍵盤シャーシであり、符号１４は鍵盤シャーシ１２にビス止めあるいは接着などにより一体的に固設された樹脂製の鍵盤シャーシ補強部材であり、符号１６は鍵盤シャーシ補強部材１４の後方側の端部に形成された鍵軸受部１４ａに鍵１０を回動自在に支持する回動支持軸であり、符号１８はクランク状に曲折された形状を備えていて、鍵盤シャーシ補強部材１４の前方側に形成されたＵ溝部１４ｂに後方端部側に形成された回動軸１８ａを回動自在に支持されたハンマーであり、符号２０は鍵盤シャーシ補強部材１４に支持された接点基板２２上に配設されるとともに鍵１０に対応して設けられて押鍵操作／離鍵操作に伴って発音制御するためのスイッチである。
【０００４】
ここで、鍵１０の下方には突起部としてアクチュエータ１０ａが突出形成されており、アクチュエータ１０ａの下方端部は、ハンマー１８の後方端部側の上面に形成されたアクチュエータ受け部１８ｂと当接している。
【０００５】
ここで、図１の一部拡大図である図２ならびに図２のＩＩＩ−ＩＩＩ線による断面図である図３を参照しながら、アクチュエータ１０ａとアクチュエータ受け部１８ｂとについてさらに詳細に説明する。
【０００６】
アクチュエータ１０ａは下方部位が二股状に形成されており、その二股状に形成された中央空間部Ｇに、アクチュエータ受け部１８ｂから上方に突出形成されたリブ１８ｃが位置するようになされている。このため、アクチュエータ１０ａはリブ１８ｃにガイドされ、アクチュエータ受け部１８ｂと確実に当接することができる。
【０００７】
そして、アクチュエータ受け部１８ｂは平坦面に形成されており、こうした平坦面に形成されたアクチュエータ受け部１８ｂとアクチュエータ１０ａの底面１０ｂとが当接することになる。そして、これらアクチュエータ受け部１８ｂとアクチュエータ１０ａの底面１０ｂとの当接部には、当接による磨耗やノイズの発生を防止するために潤滑剤としてグリスが塗布されている。
【０００８】
また、鍵１０の前端部には、鍵１０と一体的に形成された鍵ガイド部１０ｃが下方に向かって垂下しており、鍵ガイド部１０ｂの先端部に後ろ向きに形成された鉤状のストッパー爪１０ｄが、鍵盤シャーシ１２の前端部下面に固着された上限緩衝部材２４の下面に当接することにより、離鍵時における鍵１０の回動範囲の上限を規制するようになされている。一方、鍵１０が押鍵されて、その押鍵操作が完了したときには、鍵盤シャーシ１２の前端部上面に固着された下限緩衝部材２６に鍵１０の前端部下面１０ｇが当接することにより、押鍵時における鍵１０の回動範囲の下限を規制するようになされている。
【０００９】
なお、鍵盤シャーシ１２の中間部には、ハンマー１８を位置させるための開口部が、鍵１０に対応して形成されている。
【００１０】
さらに、鍵盤シャーシ１２の前方には、ボックス部１２ａが形成されており、ボックス部１２ａの垂壁部１２ｂには、ハンマー１８の数だけの整列したスリット１２ｃが穿設されている。
【００１１】
また、ボックス部１２ａの底部１２ｄの上面には、ハンマー１８の前端部１８ｄと当接する位置に、弾性体などにより形成されたストッパ２８が接着などにより取り付けられている。ハンマー１８の前端部１８ｄがストッパ２８と当接することにより、ハンマー１８の回動時における下限を規制している。
【００１２】
なお、ハンマー１８は、主に鉛や鉄などのような質量の重い金属材料により形成されていて、前端部１８ｄ側が重くなるように構成されている。
【００１３】
以上の構成において、図１に示す状態（鍵１０を離鍵した状態）から鍵１０を押鍵すると、鍵１０のアクチュエータ１０ａによりハンマー１８のアクチュエータ受け部１８ｂが押下されて、ハンマー１８はＵ溝部１４ｂに回動自在に支持された回動軸１８ａを支点として実線矢印Ａ方向に回動動作し、このハンマー１８の回動動作の慣性によって重厚なタッチ感を得ることができる。
【００１４】
そして、押鍵された鍵１０を離鍵すると、ハンマー１８は自重により回動軸１８ａを支点として破線矢印Ｂ方向に回動動作し、このハンマー１８の回動動作に伴ってアクチュエータ受け部１８ｂにより鍵１０のアクチュエータ１０ａが押し上げられ、鍵１０とハンマー１８とは図１に示す状態に復帰する。
【００１５】
なお、離鍵動作の際における破線矢印Ｂ方向へのハンマー１８の回動動作が進むと、ハンマー１８の前端部１８ｄがストッパ２８に衝突して両者が当接することになり、これによりハンマー１８の回動動作が規制されることになって、鍵１０とハンマー１８とが図１に示す状態に復帰することになるものである。
【００１６】
ところで、上記した従来の鍵盤装置においては、アクチュエータ受け部１８ｂが平坦面に形成されているため、アクチュエータ受け部１８ｂとアクチュエータ１０ａの底面１０ｂとの当接部に塗布されたグリスが、アクチュエータ受け部１８ｂから流れ出しやすく、アクチュエータ受け部１８ｂとアクチュエータ１０ａの底面１０ｂとの当接による磨耗やノイズの発生を長期間にわたって防止することができない恐れがあるという問題点があった。
【００１７】
【発明が解決しようとする課題】
本発明は、上記したような従来の技術の問題点に鑑みてなされたものであり、その目的とするところは、鍵の突起部とハンマーとの当接部に塗布されたグリスの流出を防止して、鍵の突起部とハンマーとの当接による磨耗やノイズの発生を長期間にわたって防止することができるようにした鍵盤装置の鍵機構を提供することにある。
【００１８】
【課題を解決するための手段】
上記目的を達成するために、本発明のうち請求項１に記載の発明は、鍵盤シャーシに回動自在に設けられた鍵と、上記鍵から下方に突出する突起部と、上記鍵盤シャーシに回動自在に設けられ、上記突起部が当接することによって上記鍵の押鍵・離鍵に伴い連動するハンマーとを有する鍵盤楽器の鍵機構において、上記ハンマーにおける上記突起部が当接する部位に壁部により全周を囲まれた凹部を形成し、上記凹部内に潤滑剤を充填したものである。
【００１９】
従って、本発明のうち請求項１に記載の発明によれば、ハンマーにおける鍵の突起部が当接する部位たる凹部内に潤滑剤が充填されており、しかもこの凹部は壁部により全周を囲まれているので、鍵の突起部とハンマーとの当接部からの潤滑剤の流出を防止することができ、鍵の突起部とハンマーとの当接による磨耗やノイズの発生を長期間にわたって防止することができる。
【００２０】
ここで、上記凹部内には、例えば、本発明のうち請求項２に記載の発明のように、溝部を形成することができる。
【００２１】
このように構成すると、凹部内に鍵の突起部が位置していても、凹部内に充填された潤滑剤が溝部を通過して凹部内を流動できるようになるので、凹部内の潤滑剤の分布を平均化することができるようになるとともに、凹部内に充填可能な潤滑剤の容量を溝部の容量分だけ増大することができる。
【００２２】
【発明の実施の形態】
以下、添付の図面に基づいて、本発明による鍵盤装置の鍵機構の実施の形態を詳細に説明するものとする。
【００２３】
図４には、本発明による鍵盤装置の鍵機構の第１の実施の形態の一部を破断して示した側面図が示されている。
【００２４】
なお、図４に関する説明においては、図１に示す構成と同一または相当する構成に関しては図１に用いた符号と同一の符号を付して示すことにより、その詳細な説明は省略するものとする。
【００２５】
この図４に示す第１の実施の形態においては、鋼板製の鍵盤シャーシに代えて樹脂製の鍵盤シャーシ１２０を用いるとともに、鍵１０に対するハンマー１８０の取付方向が反対向きになっている点で、図１に示す鍵盤装置の鍵機構と異なっている。
【００２６】
即ち、図４において、符号１０は電子ピアノなどの電子楽器に用いられる鍵盤装置における白鍵および黒鍵を含む鍵であり、符号１２０は鍵盤装置本体の底板（図示せず）の取付面上にネジ止めなどにより締結された樹脂製の鍵盤シャーシであり、符号１６は鍵盤シャーシ１２０の後方側の端部に形成された鍵軸受部１２０ａに鍵１０を回動自在に支持する回動支持軸であり、符号１８０はクランク状に曲折された形状を備えていて、鍵盤シャーシ１２０の中央部位に形成されたＵ溝部１２０ｂに前方端部側に形成された回動軸１８０ａを回動自在に支持されたハンマーであり、符号２０は鍵盤シャーシ１２０に支持された接点基板２２上に配設されるとともに鍵１０に対応して設けられて押鍵操作／離鍵操作に伴って発音制御するためのスイッチである。
【００２７】
ここで、鍵１０の下方には突起部としてアクチュエータ１０ａが形成されており、アクチュエータ１０ａの下方端部は、ハンマー１８０の前方端部側の上面に形成されたアクチュエータ受け部１８０ｂと当接している。
【００２８】
ここで、図４の一部拡大図である図５、図４の一部を破断して示した平面図である図６ならびに図６の一部拡大図である図７を参照しながら、アクチュエータ受け部１８０ｂについてさらに詳細に説明する。
【００２９】
即ち、アクチュエータ受け部１８０ｂには、その周囲が隆起した壁部１８０ｈとなるように凹部１８０ｅが形成されており、この凹部１８０ｅ内にアクチュエータ１０ａの底面１０ｂが位置し、凹部１８０ｅの底面とアクチュエータ１０ａの底面１０ｂとが当接するようになされている。
【００３０】
さらに、アクチュエータ受け部１８０ｂの凹部１８０ｅ内には、凹部１８０ｅの底面とアクチュエータ１０ａの底面１０ｂとの当接による磨耗やノイズの発生を防止するための潤滑剤としてグリスが充填されている。
【００３１】
また、鍵１０の中間部より前方には、下方に向ってストッパー１０ｅが垂下しており、このストッパー１０ｅが鍵盤シャーシ１２０に形成された開口部を貫通している。そして、ストッパー１０ｅの先端部に前向きに形成された鉤状のストッパー爪１０ｆが、リブ１２０ｃに固着された緩衝部材２６０の下面に当接することにより離鍵時における鍵１０の上限を規制するとともに、緩衝部材２６０の上面に鍵１０の裏面が当接することにより押鍵時における鍵１０の下限を規制している。
【００３２】
また、鍵１０の前端部には、鍵１０と一体的に形成された鍵ガイド部１０ｃが下方に向かって垂下している。
【００３３】
さらに、鍵盤シャーシ１２０の後方側の底部の上面には、ハンマー１８０の後部１８０ｇと当接する位置に、弾性体などにより形成されたストッパ２８が接着などにより取り付けられている。ハンマー１８０の後部１８０ｅがストッパ２８と当接することにより、ハンマー１８０の回動時における下限を規制している。また、鍵盤シャーシ１２０のリブ１２０ｃの後方側の上部には、ハンマー１８０の後部１８０ｅと当接する位置に、弾性体などにより形成されたストッパ３０が接着などにより取り付けられている。ハンマー１８０の後部１８０ｅがストッパ３０と当接することにより、ハンマー１８０の回動時における上限を規制している。
【００３４】
なお、ハンマー１８０は、主に鉛や鉄などのような質量の重い金属材料により形成されていて、後部１８０ｃ側が重くなるように構成されている。
【００３５】
以上の構成において、図４に示す状態（鍵１０を離鍵した状態）から鍵１０を押鍵すると、鍵１０のアクチュエータ１０ａによりハンマー１８０のアクチュエータ受け部１８０ｂが押下されて、ハンマー１８０はＵ溝部１２０ｂに回動自在に支持された回動軸１８０ａを支点として実線矢印Ｃ方向に回動動作し、このハンマー１８０の回動動作の慣性によって重厚なタッチ感を得ることができる（図４において二点鎖線で示したハンマー１８０は、実線矢印Ｃ方向に回動動作した状態を示している。）。
【００３６】
そして、押鍵された鍵１０を離鍵すると、ハンマー１８０は自重により回動軸１８０ａを支点として破線矢印Ｄ方向に回動動作し、このハンマー１８０の回動動作に伴ってアクチュエータ受け部１８０ｂにより鍵１０のアクチュエータ１０ａが押し上げられ、鍵１０とハンマー１８０とは図４に示す状態に復帰する。
【００３７】
なお、離鍵動作の際における破線矢印Ｃ方向へのハンマー１８０の回動動作が進むと、ハンマー１８０の後部１８０ｅがストッパ２８に衝突して両者が当接することになり、これによりハンマー１８０の回動動作が規制されることになって、鍵１０とハンマー１８０とが図４に示す状態に復帰することになるものである。
【００３８】
ここで、アクチュエータ受け部１８０ｂの壁部１８０ｈにより囲まれた凹部１８０ｅ内に、凹部１８０ｅの底面とアクチュエータ１０ａの底面１０ｂとの当接による磨耗やノイズの発生を防止するためのグリスが充填されているため、アクチュエータ１０ａとアクチュエータ受け部１８ｂとの当接部からのグリスの流出を効果的に防止することができる。
【００３９】
このため、アクチュエータ１０ａとアクチュエータ受け部１８０ｂとの当接による磨耗やノイズの発生を、長期間にわたって防止することができるようになる。
【００４０】
なお、アクチュエータ１０ａの底面１０ｂ側の下方部位は、図３に示すように二股状に形成する必要はないが、例えば、図３に示すように二股状に形成した場合には、凹部１８０ｅ内にアクチュエータ１０ａが位置していても、アクチュエータ受け部１８ｂの凹部１８０ｅ内に充填されたグリスが、その二股状に形成された中央空間部Ｇを通過して凹部１８０ｅ内を流動できるようになるので、凹部１８０ｅ内のグリスの分布を平均化することができるようになる。
【００４１】
この際に、アクチュエータ受け部１８０ｂには、上記した第１の実施の形態に示すように、リブ１８ｃを形成してもよいし、また、リブ１８ｃを形成しなくてもよい。
【００４２】
図８には、本発明による鍵盤装置の鍵機構の第２の実施の形態を示す図７に対応する一部拡大図が示されている。
【００４３】
なお、図８に関する説明においては、図１乃至図７に示す構成と同一または相当する構成に関しては図１乃至図７に用いた符号と同一の符号を付して示すことにより、その詳細な説明は省略するものとする。
【００４４】
この図８に示す第２の実施の形態は、アクチュエータ受け部１８０ｂの凹部１８０ｅに、さらに溝部１８０ｆを形成した点についてのみ、上記した第１の実施の形態と異なる。
【００４５】
この溝部１８０ｆは、アクチュエータ１０ａの幅ｔ１よりも広い幅ｔ２を備えるように形成されている。
【００４６】
このように凹部１８０ｅに溝部１８０ｆを形成した場合には、アクチュエータ１０ａの底面１０ｂ側の下方部位を図３に示すように二股状に形成しなくても、凹部１８０ｅ内に充填されたグリスが溝部１８０ｆを通過して凹部１８０ｅ内を流動できるようになるので、凹部１８０ｅ内にアクチュエータ１０ａが位置していても凹部１８０ｅ内のグリスの分布を平均化することができるようになる。
【００４７】
また、上記した第１の実施の形態における凹部１８０ｅ内に充填可能なグリスの容量と比較すると、凹部１８０ｅ内に充填可能なグリスの容量を溝部１８０ｆの容量分だけ増大することができる。
【００４８】
【発明の効果】
本発明は、以上説明したように構成されているので、鍵の突起部とハンマーとの当接部に塗布されたグリスの流出を防止することができ、鍵の突起部とハンマーとの当接による磨耗やノイズの発生を長期間にわたって防止することができるようになるという優れた効果を奏する。
【図面の簡単な説明】
【図１】鍵を離鍵した状態における従来の鍵盤装置の鍵機構の一部を破断して示した側面図である。
【図２】図１の一部拡大図である。
【図３】図２のＩＩＩ−ＩＩＩ線による断面図である。
【図４】本発明による鍵盤装置の鍵機構の第１の実施の形態の一部を破断して示した側面図である。
【図５】図４の一部拡大図である。
【図６】図４の一部を破断して示した平面図である。
【図７】図６の一部拡大図である。
【図８】本発明による鍵盤装置の鍵機構の第２の実施の形態を示す図７に対応する一部拡大図である。
【符号の説明】
１０                      鍵
１０ａ                    アクチュエータ
１２、１２０              鍵盤シャーシ
１６                      回動支持軸
１８、１８０              ハンマー
１８ａ、１８ｂ            回動軸
１８ｂ、１８０ｂ          アクチュエータ受け部
１８０ｅ                  凹部
１８０ｆ                  溝部
１８０ｈ                  壁部
【図１】
0003814747.tif 000002
【図２】
0003814747.tif 000003
【図３】
0003814747.tif 000004
【図４】
0003814747.tif 000005
【図５】
0003814747.tif 000006
【図６】
0003814747.tif 000007
【図７】
0003814747.tif 000008
【図８】
0003814747.tif 000009